(57)【特許請求の範囲】
【請求項１】
情報を示すコンテンツデータを順次取得するコンテンツデータ取得手段と、
前記コンテンツデータ取得手段が取得するコンテンツデータの各々に関し、当該コンテンツデータの属性を示すコンテンツ属性データを取得するコンテンツ属性データ取得手段と、
前記コンテンツデータ取得手段が取得するコンテンツデータの各々に関し、当該コンテンツデータの重要度を当該コンテンツデータの属性を示すコンテンツ属性データに基づき特定する重要度特定手段と、
前記コンテンツデータ取得手段が取得する順序でコンテンツデータが示す情報が表示領域の予め定められた表示開始位置に表示され、新たな情報が前記表示開始位置に表示されるとき、前記コンテンツデータ取得手段が取得したコンテンツデータの各々が示す情報の表示位置を決定し、前記表示開始位置に表示されていた情報の表示位置を前記表示領域の前記表示開始位置とは異なる表示位置に決定する表示位置決定手段と
を備え、
前記表示位置決定手段により決定される表示位置に従い、前記コンテンツデータ取得手段が取得したコンテンツデータの各々が示す情報を、前記重要度が高いほど前記表示領域に長く表示させる
データ処理装置であって、
前記コンテンツ属性データ取得手段が前記表示領域に表示されている一の情報の新たなコンテンツ属性データを取得した場合、
前記重要度特定手段は、前記新たなコンテンツ属性データに基づき、前記一の情報の新たな重要度を特定し、
前記表示位置決定手段は、前記新たな重要度に基づき、前記新たなコンテンツ属性データが取得された時点の前記一の情報の表示位置を起点として前記一の情報の表示位置を決定する
データ処理装置。
【請求項２】
情報を示すコンテンツデータを順次取得するコンテンツデータ取得手段と、
前記コンテンツデータ取得手段が取得するコンテンツデータの各々に関し、当該コンテンツデータの属性を示すコンテンツ属性データを取得するコンテンツ属性データ取得手段と、
前記コンテンツデータ取得手段が取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得するユーザ属性データ取得手段と、
前記コンテンツデータ取得手段が取得するコンテンツデータの各々に関し、当該コンテンツデータの重要度を、当該コンテンツデータの属性を示すコンテンツ属性データと、前記ユーザ属性データとに基づき特定する重要度特定手段と、
前記コンテンツデータ取得手段が取得する順序でコンテンツデータが示す情報が表示領域の予め定められた表示開始位置に表示され、新たな情報が前記表示開始位置に表示されるとき、前記コンテンツデータ取得手段が取得したコンテンツデータの各々が示す情報の表示位置を決定し、前記表示開始位置に表示されていた情報の表示位置を前記表示領域の前記表示開始位置とは異なる表示位置に決定する表示位置決定手段と
を備え、
前記表示位置決定手段により決定される表示位置に従い、前記コンテンツデータ取得手段が取得したコンテンツデータの各々が示す情報を、前記重要度が高いほど前記表示領域に長く表示させる
データ処理装置。
【請求項３】
前記ユーザ属性データ取得手段が新たなユーザ属性データを取得した場合、
前記重要度特定手段は、前記新たなユーザ属性データに基づき、前記表示領域に表示されている複数の情報の各々に関し、当該情報の新たな重要度を特定し、
前記表示位置決定手段は、前記表示領域に表示されている複数の情報の各々に関し、前記新たな重要度に基づき、前記新たなユーザ属性データが取得された時点の当該情報の表示位置を起点として当該情報の表示位置を決定する
請求項２に記載のデータ処理装置。
【請求項４】
前記コンテンツデータ取得手段は、サーバ装置から送信される前記コンテンツデータを取得し、
前記コンテンツ属性データ取得手段は、前記サーバ装置から送信される前記コンテンツ属性データを取得し、
表示装置に対し、前記表示位置決定手段が決定した表示位置における情報の表示を指示する表示指示手段を備える
請求項１乃至３のいずれか１項に記載のデータ処理装置。
【請求項５】
前記コンテンツデータ取得手段が取得したコンテンツデータを、表示装置と接続された端末装置に送信するコンテンツデータ送信手段と、
前記表示位置決定手段が決定した表示位置を示す表示位置データを前記端末装置に送信する表示位置データ送信手段と
を備える請求項１乃至３のいずれか１項に記載のデータ処理装置。
【請求項６】
前記ユーザ属性データ取得手段は、表示装置と接続された端末装置から送信される前記ユーザ属性データを取得し、
前記コンテンツデータ取得手段が取得したコンテンツデータを前記端末装置に送信するコンテンツデータ送信手段と、
前記表示位置決定手段が決定した表示位置を示す表示位置データを前記端末装置に送信する表示位置データ送信手段と
を備える請求項２または３に記載のデータ処理装置。
【請求項７】
コンピュータに、
情報を示すコンテンツデータを順次取得する処理と、
前記コンテンツデータを順次取得する処理において順次取得するコンテンツデータの各々に関し、当該コンテンツデータの属性を示すコンテンツ属性データを取得する処理と、
前記コンテンツデータを順次取得する処理において順次取得するコンテンツデータの各々に関し、当該コンテンツデータの重要度を当該コンテンツデータの属性を示すコンテンツ属性データに基づき特定する処理と、
前記コンテンツデータを順次取得する処理において取得される順序でコンテンツデータが示す情報が表示領域の予め定められた表示開始位置に表示され、新たな情報が前記表示開始位置に表示されるとき、前記コンテンツデータを順次取得する処理において取得したコンテンツデータの各々が示す情報の表示位置を決定し、前記表示開始位置に表示されていた情報の表示位置を前記表示領域の前記表示開始位置とは異なる表示位置に決定する処理と
を実行させ、
前記表示位置を決定する処理において決定する表示位置に従い、前記コンテンツデータを順次取得する処理において取得したコンテンツデータの各々が示す情報を、前記重要度が高いほど前記表示領域に長く表示させ、
前記表示領域に表示されている一の情報の新たなコンテンツ属性データを取得する処理と、
前記新たなコンテンツ属性データに基づき、前記一の情報の新たな重要度を特定する処理と、
前記新たな重要度に基づき、前記新たなコンテンツ属性データを取得した時点の前記一の情報の表示位置を起点として前記一の情報の表示位置を決定する処理と
を実行させる
ためのプログラム。
【請求項８】
コンピュータに、
情報を示すコンテンツデータを順次取得する処理と、
前記コンテンツデータを順次取得する処理において順次取得するコンテンツデータの各々に関し、当該コンテンツデータの属性を示すコンテンツ属性データを取得する処理と、
前記コンテンツデータを順次取得する処理において順次取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得する処理と、
前記コンテンツデータを順次取得する処理において順次取得するコンテンツデータの各々に関し、当該コンテンツデータの重要度を、当該コンテンツデータの属性を示すコンテンツ属性データと、前記ユーザ属性データとに基づき特定する処理と、
前記コンテンツデータを順次取得する処理において取得される順序でコンテンツデータが示す情報が表示領域の予め定められた表示開始位置に表示され、新たな情報が前記表示開始位置に表示されるとき、前記コンテンツデータを順次取得する処理において取得したコンテンツデータの各々が示す情報の表示位置を決定し、前記表示開始位置に表示されていた情報の表示位置を前記表示領域の前記表示開始位置とは異なる表示位置に決定する処理と
を実行させ、
前記表示位置を決定する処理において決定する表示位置に従い、前記コンテンツデータを順次取得する処理において取得したコンテンツデータの各々が示す情報を、前記重要度が高いほど前記表示領域に長く表示させる
ためのプログラム。
【請求項９】
データ処理装置が、情報を示すコンテンツデータを順次取得するステップと、
前記データ処理装置が、前記コンテンツデータを順次取得するステップにおいて順次取得するコンテンツデータの各々に関し、当該コンテンツデータの属性を示すコンテンツ属性データを取得するステップと、
前記データ処理装置が、前記コンテンツデータを順次取得するステップにおいて順次取得するコンテンツデータの各々に関し、当該コンテンツデータの重要度を当該コンテンツデータの属性を示すコンテンツ属性データに基づき特定するステップと、
前記データ処理装置が、前記コンテンツデータを順次取得するステップにおいて取得される順序でコンテンツデータが示す情報が表示領域の予め定められた表示開始位置に表示され、新たな情報が前記表示開始位置に表示されるとき、前記コンテンツデータを順次取得するステップにおいて取得したコンテンツデータの各々が示す情報の表示位置を決定し、前記表示開始位置に表示されていた情報の表示位置を前記表示領域の前記表示開始位置とは異なる表示位置に決定するステップと
を備え、
前記データ処理装置は、前記表示位置を決定するステップにおいて決定する表示位置に従い、前記コンテンツデータを順次取得するステップにおいて取得したコンテンツデータの各々が示す情報を、前記重要度が高いほど前記表示領域に長く表示させ、
前記データ処理装置が、前記表示領域に表示されている一の情報の新たなコンテンツ属性データを取得するステップと、
前記データ処理装置が、前記新たなコンテンツ属性データに基づき、前記一の情報の新たな重要度を特定するステップと、
前記データ処理装置が、前記新たな重要度に基づき、前記新たなコンテンツ属性データを取得した時点の前記一の情報の表示位置を起点として前記一の情報の表示位置を決定するステップと
を備える
情報の表示位置の決定方法。
【請求項１０】
データ処理装置が、情報を示すコンテンツデータを順次取得するステップと、
前記データ処理装置が、前記コンテンツデータを順次取得するステップにおいて順次取得するコンテンツデータの各々に関し、当該コンテンツデータの属性を示すコンテンツ属性データを取得するステップと、
前記データ処理装置が、前記コンテンツデータを順次取得するステップにおいて順次取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得するステップと、
前記データ処理装置が、前記コンテンツデータを順次取得するステップにおいて順次取得するコンテンツデータの各々に関し、当該コンテンツデータの重要度を、当該コンテンツデータの属性を示すコンテンツ属性データと、前記ユーザ属性データとに基づき特定するステップと、
前記データ処理装置が、前記コンテンツデータを順次取得するステップにおいて取得される順序でコンテンツデータが示す情報が表示領域の予め定められた表示開始位置に表示され、新たな情報が前記表示開始位置に表示されるとき、前記コンテンツデータを順次取得するステップにおいて取得したコンテンツデータの各々が示す情報の表示位置を決定し、前記表示開始位置に表示されていた情報の表示位置を前記表示領域の前記表示開始位置とは異なる表示位置に決定するステップと
を備え、
前記データ処理装置は、前記表示位置を決定するステップにおいて決定する表示位置に従い、前記コンテンツデータを順次取得するステップにおいて取得したコンテンツデータの各々が示す情報を、前記重要度が高いほど前記表示領域に長く表示させる
情報の表示位置の決定方法。
【請求項１１】
サーバ装置と、複数の端末装置とを備え、
前記サーバ装置は、
自装置以外の装置から、情報を示すコンテンツデータを順次受信するコンテンツデータ受信手段と、
前記コンテンツデータ受信手段が順次受信するコンテンツデータの各々に関し、当該コンテンツデータの属性を示すコンテンツ属性データを取得するコンテンツ属性データ取得手段と、
前記コンテンツデータ受信手段が受信したコンテンツデータと、当該コンテンツデータに関し前記コンテンツ属性データ取得手段が取得したコンテンツ属性データとを、前記複数の端末装置の各々に順次送信する送信手段と
を備え、
前記複数の端末装置の各々は、
前記サーバ装置から順次送信されてくる、情報を示すコンテンツデータと当該コンテンツデータの属性を示すコンテンツ属性データとを受信する受信手段と、
自装置の前記受信手段が受信したコンテンツデータの各々に関し、当該コンテンツデータの重要度を当該コンテンツデータの属性を示すコンテンツ属性データに基づき特定する重要度特定手段と、
自装置の前記受信手段が受信する順序でコンテンツデータが示す情報が表示領域の予め定められた表示開始位置に表示され、新たな情報が前記表示開始位置に表示されるとき、自装置の前記受信手段が受信したコンテンツデータの各々が示す情報の表示位置を決定し、前記表示開始位置に表示されていた情報の表示位置を前記表示領域の前記表示開始位置とは異なる表示位置に決定する表示位置決定手段と、
表示装置に対し、前記表示位置決定手段が決定した表示位置における情報の表示を指示する表示指示手段と
を備え、
前記表示位置決定手段により決定される表示位置に従い、自装置の前記受信手段が受信したコンテンツデータの各々が示す情報を、前記重要度が高いほど前記表示領域に長く表示させ、
前記受信手段が前記表示領域に表示されている一の情報の新たなコンテンツ属性データを受信した場合、
前記重要度特定手段は、前記新たなコンテンツ属性データに基づき、前記一の情報の新たな重要度を特定し、
前記表示位置決定手段は、前記新たな重要度に基づき、前記新たなコンテンツ属性データが受信された時点の前記一の情報の表示位置を起点として前記一の情報の表示位置を決定する
ことを特徴とする情報表示のためのシステム。
【請求項１２】
サーバ装置と、複数の端末装置とを備え、
前記サーバ装置は、
自装置以外の装置から、情報を示すコンテンツデータを順次受信するコンテンツデータ受信手段と、
前記コンテンツデータ受信手段が順次受信するコンテンツデータの各々に関し、当該コンテンツデータの属性を示すコンテンツ属性データを取得するコンテンツ属性データ取得手段と、
前記コンテンツデータ受信手段が受信したコンテンツデータと、当該コンテンツデータに関し前記コンテンツ属性データ取得手段が取得したコンテンツ属性データとを、前記複数の端末装置の各々に順次送信する送信手段と
を備え、
前記複数の端末装置の各々は、
自装置のユーザの属性、自装置の属性、および前記ユーザまたは自装置が置かれている環境の属性のうちの少なくとも１つを示すユーザ属性データを取得するユーザ属性データ取得手段と、
前記サーバ装置から順次送信されてくる、情報を示すコンテンツデータと当該コンテンツデータの属性を示すコンテンツ属性データとを受信する受信手段と、
自装置の前記受信手段が受信したコンテンツデータの各々に関し、当該コンテンツデータの重要度を当該コンテンツデータの属性を示すコンテンツ属性データと、前記ユーザ属性データとに基づき特定する重要度特定手段と、
自装置の前記受信手段が受信する順序でコンテンツデータが示す情報が表示領域の予め定められた表示開始位置に表示され、新たな情報が前記表示開始位置に表示されるとき、自装置の前記受信手段が受信したコンテンツデータの各々が示す情報の表示位置を決定し、前記表示開始位置に表示されていた情報の表示位置を前記表示領域の前記表示開始位置とは異なる表示位置に決定する表示位置決定手段と、
表示装置に対し、前記表示位置決定手段が決定した表示位置における情報の表示を指示する表示指示手段と
を備え、
前記表示位置決定手段により決定される表示位置に従い、自装置の前記受信手段が受信したコンテンツデータの各々が示す情報を、前記重要度が高いほど前記表示領域に長く表示させる
ことを特徴とする情報表示のためのシステム。
【発明の詳細な説明】
【技術分野】
【０００１】
本発明は、情報の表示位置を決定するための技術に関する。
【背景技術】
【０００２】
様々なユーザが端末装置を用いてメッセージや画像等の情報をサーバ装置に投稿し、他のユーザに閲覧可能とする仕組みがある。サーバ装置がユーザから投稿された情報を他のユーザに配信するためのＷｅｂサイトは投稿サイトと呼ばれる。
【０００３】
投稿サイトに関する技術を開示した先行技術文献として、例えば特許文献１がある。特許文献１に記載の仕組みによれば、様々な投稿者が過去に投稿サイトに投稿した画像の価値がアクセス数等に基づき特定される。そして、投稿サイトにアクセスした閲覧者の端末において、価値が高い画像は速い速度で流れ、価値が低い画像は遅い速度で流れるように、表示される。特許文献１によれば、上記のように画像の価値に応じて移動の速度を変えることにより、多数の作品をユーザの興味を引くように表示させることができる、と述べられている。
【０００４】
投稿サイトに投稿されたメッセージや画像等の情報（以下、「コンテンツ」という）を、投稿サイトにアクセスした閲覧者に対し投稿順に並べて表示する仕組みがある。この仕組みは「タイムライン表示」と通称されている。なお、「タイムライン表示」という用語は多義的な用語であるが、本願において「タイムライン表示」とは、投稿サイトに投稿されたコンテンツを投稿順に並べて表示する表示方式をいう。例えば、特許文献１に記載の発明における画像の表示方式は「作品全体の流れを時間とともに変化させながら表示する」方式であり、本願における「タイムライン表示」とは異なる（特許文献１の段落００３０参照）。
【０００５】
タイムライン表示においては、通常、新着のコンテンツが表示領域の最も上の位置に表示された後、新たな新着のコンテンツの表示に伴い、既に表示されているコンテンツが順次、表示領域の下方向に移動してゆく。そして、表示領域の最も下の位置に達したコンテンツは、新たな新着のコンテンツの表示に伴い、それ以降は表示されなくなる。
【先行技術文献】
【特許文献】
【０００６】
【特許文献１】特開２０１３−１５９２３号公報
【発明の概要】
【発明が解決しようとする課題】
【０００７】
タイムライン表示においては、古いコンテンツは表示されない。閲覧者はタイムライン表示されるコンテンツを常時監視しているわけではないので、閲覧者が自分にとって有意義なコンテンツを見逃したり、投稿者が特定の閲覧者による閲覧を希望しているコンテンツがその特定の閲覧者により閲覧されなかったりすることも多い。
【０００８】
本発明は、上記の事情に鑑み、従来のタイムライン表示による場合と比較し、投稿順に表示されるコンテンツが、望ましい閲覧者に高い確率で閲覧されることを可能とする手段を提供することを目的とする。
【課題を解決するための手段】
【０００９】
上述した課題を解決するため、本発明は、情報を示すコンテンツデータを順次取得するコンテンツデータ取得手段と、前記コンテンツデータ取得手段が取得するコンテンツデータの各々に関し、当該コンテンツデータの属性を示すコンテンツ属性データを取得するコンテンツ属性データ取得手段と、前記コンテンツデータ取得手段が取得するコンテンツデータの各々に関し、当該コンテンツデータの重要度を当該コンテンツデータの属性を示すコンテンツ属性データに基づき特定する重要度特定手段と、前記コンテンツデータ取得手段が取得する順序でコンテンツデータが示す情報が表示領域の予め定められた表示開始位置に表示され、新たな情報が前記表示開始位置に表示されるとき、前記コンテンツデータ取得手段が取得したコンテンツデータの各々が示す情報の表示位置を決定し、前記表示開始位置に表示されていた情報の表示位置を前記表示領域の前記表示開始位置とは異なる表示位置に決定する表示位置決定手段とを備え、前記表示位置決定手段により決定される表示位置に従い、前記コンテンツデータ取得手段が取得したコンテンツデータの各々が示す情報を、前記重要度が高いほど前記表示領域に長く表示させるデータ処理装置であって、前記コンテンツ属性データ取得手段が前記表示領域に表示されている一の情報の新たなコンテンツ属性データを取得した場合、前記重要度特定手段は、前記新たなコンテンツ属性データに基づき、前記一の情報の新たな重要度を特定し、前記表示位置決定手段は、前記新たな重要度に基づき、前記新たなコンテンツ属性データが取得された時点の前記一の情報の表示位置を起点として前記一の情報の表示位置を決定するデータ処理装置を提案する。
【００１１】
また、本発明は、情報を示すコンテンツデータを順次取得するコンテンツデータ取得手段と、前記コンテンツデータ取得手段が取得するコンテンツデータの各々に関し、当該コンテンツデータの属性を示すコンテンツ属性データを取得するコンテンツ属性データ取得手段と、前記コンテンツデータ取得手段が取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得するユーザ属性データ取得手段と、前記コンテンツデータ取得手段が取得するコンテンツデータの各々に関し、当該コンテンツデータの重要度を、当該コンテンツデータの属性を示すコンテンツ属性データと、前記ユーザ属性データとに基づき特定する重要度特定手段と、前記コンテンツデータ取得手段が取得する順序でコンテンツデータが示す情報が表示領域の予め定められた表示開始位置に表示され、新たな情報が前記表示開始位置に表示されるとき、前記コンテンツデータ取得手段が取得したコンテンツデータの各々が示す情報の表示位置を決定し、前記表示開始位置に表示されていた情報の表示位置を前記表示領域の前記表示開始位置とは異なる表示位置に決定する表示位置決定手段とを備え、前記表示位置決定手段により決定される表示位置に従い、前記コンテンツデータ取得手段が取得したコンテンツデータの各々が示す情報を、前記重要度が高いほど前記表示領域に長く表示させるデータ処理装置を提案する。
【００１２】
また、上記のデータ処理装置において、前記ユーザ属性データ取得手段が新たなユーザ属性データを取得した場合、前記重要度特定手段は、前記新たなユーザ属性データに基づき、前記表示領域に表示されている複数の情報の各々に関し、当該情報の新たな重要度を特定し、前記表示位置決定手段は、前記表示領域に表示されている複数の情報の各々に関し、前記新たな重要度に基づき、前記新たなユーザ属性データが取得された時点の当該情報の表示位置を起点として当該情報の表示位置を決定する、という構成が採用されてもよい。
【００１３】
また、上記のデータ処理装置において、前記コンテンツデータ取得手段は、サーバ装置から送信される前記コンテンツデータを取得し、
前記コンテンツ属性データ取得手段は、前記サーバ装置から送信される前記コンテンツ属性データを取得し、
表示装置に対し、前記表示位置決定手段が決定した表示位置における情報の表示を指示する表示指示手段を備える、という構成が採用されてもよい。
【００１４】
また、上記のデータ処理装置において、前記コンテンツデータ取得手段が取得したコンテンツデータを、表示装置と接続された端末装置に送信するコンテンツデータ送信手段と、前記表示位置決定手段が決定した表示位置を示す表示位置データを前記端末装置に送信する表示位置データ送信手段とを備える、という構成が採用されてもよい。
【００１５】
また、上記のデータ処理装置において、前記ユーザ属性データ取得手段は、表示装置と接続された端末装置から送信される前記ユーザ属性データを取得し、前記コンテンツデータ取得手段が取得したコンテンツデータを前記端末装置に送信するコンテンツデータ送信手段と、前記表示位置決定手段が決定した表示位置を示す表示位置データを前記端末装置に送信する表示位置データ送信手段とを備える、という構成が採用されてもよい。
【００１６】
また、本発明は、コンピュータに、情報を示すコンテンツデータを順次取得する処理と、前記コンテンツデータを順次取得する処理において順次取得するコンテンツデータの各々に関し、当該コンテンツデータの属性を示すコンテンツ属性データを取得する処理と、前記コンテンツデータを順次取得する処理において順次取得するコンテンツデータの各々に関し、当該コンテンツデータの重要度を当該コンテンツデータの属性を示すコンテンツ属性データに基づき特定する処理と、前記コンテンツデータを順次取得する処理において取得される順序でコンテンツデータが示す情報が表示領域の予め定められた表示開始位置に表示され、新たな情報が前記表示開始位置に表示されるとき、前記コンテンツデータを順次取得する処理において取得したコンテンツデータの各々が示す情報の表示位置を決定し、前記表示開始位置に表示されていた情報の表示位置を前記表示領域の前記表示開始位置とは異なる表示位置に決定する処理とを実行させ、前記表示位置を決定する処理において決定する表示位置に従い、前記コンテンツデータを順次取得する処理において取得したコンテンツデータの各々が示す情報を、前記重要度が高いほど前記表示領域に長く表示させ、前記表示領域に表示されている一の情報の新たなコンテンツ属性データを取得する処理と、前記新たなコンテンツ属性データに基づき、前記一の情報の新たな重要度を特定する処理と、前記新たな重要度に基づき、前記新たなコンテンツ属性データを取得した時点の前記一の情報の表示位置を起点として前記一の情報の表示位置を決定する処理とを実行させるためのプログラムを提案する。
また、本発明は、コンピュータに、情報を示すコンテンツデータを順次取得する処理と、前記コンテンツデータを順次取得する処理において順次取得するコンテンツデータの各々に関し、当該コンテンツデータの属性を示すコンテンツ属性データを取得する処理と、前記コンテンツデータを順次取得する処理において順次取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得する処理と、前記コンテンツデータを順次取得する処理において順次取得するコンテンツデータの各々に関し、当該コンテンツデータの重要度を、当該コンテンツデータの属性を示すコンテンツ属性データと、前記ユーザ属性データとに基づき特定する処理と、前記コンテンツデータを順次取得する処理において取得される順序でコンテンツデータが示す情報が表示領域の予め定められた表示開始位置に表示され、新たな情報が前記表示開始位置に表示されるとき、前記コンテンツデータを順次取得する処理において取得したコンテンツデータの各々が示す情報の表示位置を決定し、前記表示開始位置に表示されていた情報の表示位置を前記表示領域の前記表示開始位置とは異なる表示位置に決定する処理とを実行させ、前記表示位置を決定する処理において決定する表示位置に従い、前記コンテンツデータを順次取得する処理において取得したコンテンツデータの各々が示す情報を、前記重要度が高いほど前記表示領域に長く表示させるためのプログラムを提案する。
【００１７】
また、本発明は、データ処理装置が、情報を示すコンテンツデータを順次取得するステップと、前記データ処理装置が、前記コンテンツデータを順次取得するステップにおいて順次取得するコンテンツデータの各々に関し、当該コンテンツデータの属性を示すコンテンツ属性データを取得するステップと、前記データ処理装置が、前記コンテンツデータを順次取得するステップにおいて順次取得するコンテンツデータの各々に関し、当該コンテンツデータの重要度を当該コンテンツデータの属性を示すコンテンツ属性データに基づき特定するステップと、前記データ処理装置が、前記コンテンツデータを順次取得するステップにおいて取得される順序でコンテンツデータが示す情報が表示領域の予め定められた表示開始位置に表示され、新たな情報が前記表示開始位置に表示されるとき、前記コンテンツデータを順次取得するステップにおいて取得したコンテンツデータの各々が示す情報の表示位置を決定し、前記表示開始位置に表示されていた情報の表示位置を前記表示領域の前記表示開始位置とは異なる表示位置に決定するステップとを備え、前記データ処理装置は、前記表示位置を決定するステップにおいて決定する表示位置に従い、前記コンテンツデータを順次取得するステップにおいて取得したコンテンツデータの各々が示す情報を、前記重要度が高いほど前記表示領域に長く表示させ、前記データ処理装置が、前記表示領域に表示されている一の情報の新たなコンテンツ属性データを取得するステップと、前記データ処理装置が、前記新たなコンテンツ属性データに基づき、前記一の情報の新たな重要度を特定するステップと、前記データ処理装置が、前記新たな重要度に基づき、前記新たなコンテンツ属性データを取得した時点の前記一の情報の表示位置を起点として前記一の情報の表示位置を決定するステップとを備える情報の表示位置の決定方法を提案する。
また、本発明は、データ処理装置が、情報を示すコンテンツデータを順次取得するステップと、前記データ処理装置が、前記コンテンツデータを順次取得するステップにおいて順次取得するコンテンツデータの各々に関し、当該コンテンツデータの属性を示すコンテンツ属性データを取得するステップと、前記データ処理装置が、前記コンテンツデータを順次取得するステップにおいて順次取得するコンテンツデータが示す情報を閲覧するユーザの属性、前記ユーザが使用する端末装置の属性、および前記ユーザまたは前記端末装置が置かれている環境の属性のうちの少なくとも１つを示すユーザ属性データを取得するステップと、前記データ処理装置が、前記コンテンツデータを順次取得するステップにおいて順次取得するコンテンツデータの各々に関し、当該コンテンツデータの重要度を、当該コンテンツデータの属性を示すコンテンツ属性データと、前記ユーザ属性データとに基づき特定するステップと、前記データ処理装置が、前記コンテンツデータを順次取得するステップにおいて取得される順序でコンテンツデータが示す情報が表示領域の予め定められた表示開始位置に表示され、新たな情報が前記表示開始位置に表示されるとき、前記コンテンツデータを順次取得するステップにおいて取得したコンテンツデータの各々が示す情報の表示位置を決定し、前記表示開始位置に表示されていた情報の表示位置を前記表示領域の前記表示開始位置とは異なる表示位置に決定するステップとを備え、前記データ処理装置は、前記表示位置を決定するステップにおいて決定する表示位置に従い、前記コンテンツデータを順次取得するステップにおいて取得したコンテンツデータの各々が示す情報を、前記重要度が高いほど前記表示領域に長く表示させる情報の表示位置の決定方法を提案する。
【００１８】
また、本発明は、サーバ装置と、複数の端末装置とを備え、前記サーバ装置は、自装置以外の装置から、情報を示すコンテンツデータを順次受信するコンテンツデータ受信手段と、前記コンテンツデータ受信手段が順次受信するコンテンツデータの各々に関し、当該コンテンツデータの属性を示すコンテンツ属性データを取得するコンテンツ属性データ取得手段と、前記コンテンツデータ受信手段が受信したコンテンツデータと、当該コンテンツデータに関し前記コンテンツ属性データ取得手段が取得したコンテンツ属性データとを、前記複数の端末装置の各々に順次送信する送信手段とを備え、前記複数の端末装置の各々は、前記サーバ装置から順次送信されてくる、情報を示すコンテンツデータと当該コンテンツデータの属性を示すコンテンツ属性データとを受信する受信手段と、自装置の前記受信手段が受信したコンテンツデータの各々に関し、当該コンテンツデータの重要度を当該コンテンツデータの属性を示すコンテンツ属性データに基づき特定する重要度特定手段と、自装置の前記受信手段が受信する順序でコンテンツデータが示す情報が表示領域の予め定められた表示開始位置に表示され、新たな情報が前記表示開始位置に表示されるとき、自装置の前記受信手段が受信したコンテンツデータの各々が示す情報の表示位置を決定し、前記表示開始位置に表示されていた情報の表示位置を前記表示領域の前記表示開始位置とは異なる表示位置に決定する表示位置決定手段と、表示装置に対し、前記表示位置決定手段が決定した表示位置における情報の表示を指示する表示指示手段とを備え、前記表示位置決定手段により決定される表示位置に従い、自装置の前記受信手段が受信したコンテンツデータの各々が示す情報を、前記重要度が高いほど前記表示領域に長く表示させ、前記受信手段が前記表示領域に表示されている一の情報の新たなコンテンツ属性データを受信した場合、前記重要度特定手段は、前記新たなコンテンツ属性データに基づき、前記一の情報の新たな重要度を特定し、前記表示位置決定手段は、前記新たな重要度に基づき、前記新たなコンテンツ属性データが受信された時点の前記一の情報の表示位置を起点として前記一の情報の表示位置を決定することを特徴とする情報表示のためのシステムを提供する。
また、本発明は、サーバ装置と、複数の端末装置とを備え、前記サーバ装置は、自装置以外の装置から、情報を示すコンテンツデータを順次受信するコンテンツデータ受信手段と、前記コンテンツデータ受信手段が順次受信するコンテンツデータの各々に関し、当該コンテンツデータの属性を示すコンテンツ属性データを取得するコンテンツ属性データ取得手段と、前記コンテンツデータ受信手段が受信したコンテンツデータと、当該コンテンツデータに関し前記コンテンツ属性データ取得手段が取得したコンテンツ属性データとを、前記複数の端末装置の各々に順次送信する送信手段とを備え、前記複数の端末装置の各々は、自装置のユーザの属性、自装置の属性、および前記ユーザまたは自装置が置かれている環境の属性のうちの少なくとも１つを示すユーザ属性データを取得するユーザ属性データ取得手段と、前記サーバ装置から順次送信されてくる、情報を示すコンテンツデータと当該コンテンツデータの属性を示すコンテンツ属性データとを受信する受信手段と、自装置の前記受信手段が受信したコンテンツデータの各々に関し、当該コンテンツデータの重要度を当該コンテンツデータの属性を示すコンテンツ属性データと、前記ユーザ属性データとに基づき特定する重要度特定手段と、自装置の前記受信手段が受信する順序でコンテンツデータが示す情報が表示領域の予め定められた表示開始位置に表示され、新たな情報が前記表示開始位置に表示されるとき、自装置の前記コ受信手段が受信したコンテンツデータの各々が示す情報の表示位置を決定し、前記表示開始位置に表示されていた情報の表示位置を前記表示領域の前記表示開始位置とは異なる表示位置に決定する表示位置決定手段と、表示装置に対し、前記表示位置決定手段が決定した表示位置における情報の表示を指示する表示指示手段とを備え、前記表示位置決定手段により決定される表示位置に従い、自装置の前記受信手段が受信したコンテンツデータの各々が示す情報を、前記重要度が高いほど前記表示領域に長く表示させることを特徴とする情報表示のためのシステムを提供する。
【発明の効果】
【００１９】
本発明によれば、投稿者により順次投稿されるコンテンツが閲覧者の閲覧する表示領域において表示された後、当該コンテンツの重要度が高い程、表示領域内に長く留まる。従って、閲覧者に閲覧されるべき重要なコンテンツが閲覧者に閲覧される確率が高まる。
【図面の簡単な説明】
【００２０】
【図１】一実施形態にかかる情報表示システムの全体構成を示した図。
【図２】一実施形態にかかるサーバ装置のハードウェア構成を示した図。
【図３Ａ】一実施形態にかかる投稿者用の端末装置のハードウェア構成を示した図。
【図３Ｂ】一実施形態にかかる閲覧者用の端末装置のハードウェア構成を示した図。
【図４】一実施形態にかかるサーバ装置の機能構成を示した図。
【図５】一実施形態にかかるサーバ装置が記憶するコンテンツデータベースのデータ構成を示した図。
【図６】一実施形態にかかるサーバ装置が記憶するユーザ属性データベースのデータ構成を示した図。
【図７】一実施形態にかかるサーバ装置が記憶するユーザ毎コンテンツデータベースのデータ構成を示した図。
【図８Ａ】一実施形態にかかる投稿者用の端末装置の機能構成を示した図。
【図８Ｂ】一実施形態にかかる閲覧者用の端末装置の機能構成を示した図。
【図９】一実施形態にかかる閲覧者用の端末装置が記憶するユーザ属性データのデータ構成を示した図。
【図１０】一実施形態にかかる閲覧者用の端末装置が記憶するコンテンツデータベースのデータ構成を示した図。
【図１１】一実施形態にかかる閲覧者用の端末装置に表示される画面の変化を示した図。
【図１２】一実施形態にかかる閲覧者用の端末装置に表示される画面の変化を示した図。
【図１３】一実施形態にかかる閲覧者用の端末装置に表示される画面の変化を示した図。
【図１４】一変形例にかかるサーバ装置の機能構成を示した図。
【図１５】一変形例にかかる閲覧者用の端末装置の機能構成を示した図。
【図１６】一変形例にかかる閲覧者用の端末装置が記憶するコンテンツデータベースのデータ構成を示した図。
【発明を実施するための形態】
【００２１】
［実施形態］
以下に、本発明の一実施形態にかかる情報表示システム１を説明する。情報表示システム１は、投稿者から投稿されたコンテンツを閲覧者が閲覧するためのシステムである。図１は、情報表示システム１の全体構成を示した図である。情報表示システム１は、投稿されたコンテンツを示すコンテンツデータを閲覧者に配信するサーバ装置１１と、ｍ人（ｍは任意の自然数）の投稿者の各々がコンテンツの投稿に用いるｍ個の端末装置１２Ｐ−１〜１２Ｐ−ｍと、ｎ人（ｎは任意の自然数）の閲覧者の各々がコンテンツの閲覧に用いるｎ個の端末装置１２Ｂ−１〜１２Ｂ−ｎを備える。以下、端末装置１２Ｐ−１〜１２Ｐ−ｍを総称して「端末装置１２Ｐ」といい、端末装置１２Ｂ−１〜１２Ｂ−ｎを総称して「端末装置１２Ｂ」という。さらに、端末装置１２Ｐと端末装置１２Ｂを総称して「端末装置１２」という。また、投稿者と閲覧者を総称して「ユーザ」という。サーバ装置１１と端末装置１２の各々は移動通信網やインターネット等を含むネットワーク９を介して互いにデータ通信を行うことができる。
【００２２】
なお、説明の便宜のために、投稿者と閲覧者は異なるユーザであるものとするが、同じユーザが投稿と閲覧の両方を行ってもよい。その場合、そのユーザの使用する端末装置１２は、端末装置１２Ｐと端末装置１２Ｂの両方の役割を果たすことになる。
【００２３】
図２は、サーバ装置１１のハードウェア構成を示した図である。サーバ装置１１のハードウェア構成は、一般的なサーバ装置用のコンピュータのハードゥエア構成と同じであり、ＯＳ、アプリケーションプログラム、ユーザデータ等の各種データを記憶するとともにプログラムの実行時に作業領域として用いられるメモリ１０１と、メモリ１０１に記憶されているプログラムに従い各種データ処理を行うＣＰＵ等のプロセッサ１０２と、端末装置１２の各々との間でネットワーク９を介したデータ通信を行う通信インタフェース１０３を備える。
【００２４】
図３Ａは端末装置１２Ｐのハードウェア構成を示した図であり、図３Ｂは端末装置１２Ｂのハードウェア構成を示した図である。端末装置１２Ｐと端末装置１２Ｂのハードウェア構成は、いずれも一般的な端末装置用のコンピュータのハードウェア構成と同じであるが、端末装置１２Ｂは位置測定機能を備える。図３Ａおよび図３Ｂでは、一例としてタブレット型コンピュータの構成を示すが、端末装置１２として用いられるコンピュータの形式はタブレット型コンピュータに限定されず、デスクトップコンピュータ、ノート型コンピュータ等のいずれであってもよい。また、通話機能を備えたスマートフォン等であってもよい。
【００２５】
図３Ａと図３Ｂにおいて、端末装置１２Ｐと端末装置１２Ｂが共通して備える構成部には同じ符号が付されている（図８Ａおよび図８Ｂにおいても同様）。以下、端末装置１２Ｐと端末装置１２Ｂが共通して備える構成部に関しては、それらを区別することなく説明する。図３Ａおよび図３Ｂに例示の端末装置１２Ｐおよび端末装置１２Ｂは、ＯＳ、アプリケーションプログラム、ユーザデータ等の各種データを記憶するとともにプログラムの実行時に作業領域として用いられるメモリ２０１と、メモリ２０１に記憶されているプログラムに従い各種データ処理を行うＣＰＵ等のプロセッサ２０２と、ユーザのタッチ操作を受け付けるタッチパッドと画像を表示するディスプレイが積層されたタッチディスプレイ２０３と、サーバ装置１１との間でデータ通信を行う通信インタフェース２０４を備える。また、図３Ｂに例示の端末装置１２Ｂは、ＧＰＳ（Global Positioning System）方式に従い自装置の現在位置を計測する位置計測ユニット２０５を備える。なお、位置計測ユニット２０５が位置を測定する方式はＧＰＳに限られず、他の方式が採用されてもよい。
【００２６】
図４は、サーバ装置１１の機能構成を示した図である。すなわち、サーバ装置１１は、本実施形態にかかるアプリケーションプログラムに従うデータ処理を行うことにより、図４に示す構成部を備える装置として機能する。サーバ装置１１は、まず、端末装置１２の各々からデータを受信する受信部１１１を備える。受信部１１１は、端末装置１２Ｐからコンテンツデータを受信するコンテンツデータ受信部１１１１（コンテンツデータ受信手段の一例）と、端末装置１２Ｐからコンテンツデータの属性を示すコンテンツ属性データを受信するコンテンツ属性データ受信部１１１２（コンテンツ属性データ取得手段の一例）と、コンテンツが端末装置１２Ｂで表示された時間を示す表示時間データを受信する表示時間データ受信部１１１３と、端末装置１２Ｂからユーザ（すなわち、閲覧者）の属性を示すユーザ属性データを受信するユーザ属性データ受信部１１１４（ユーザ属性データ取得手段の一例）を備える。
【００２７】
また、サーバ装置１１は、表示時間データ受信部１１１３が表示時間データを受信した回数をコンテンツデータ毎にカウントする表示回数カウント部１１２と、表示時間データ受信部１１１３が受信した表示時間データが示す時間を累計する表示時間累計部１１３を備える。
【００２８】
また、サーバ装置１１は、各種データを記憶する記憶部１１４を備える。記憶部１１４には、コンテンツデータを管理するデータベースであるコンテンツデータベースＡと、端末装置１２Ｂのユーザ（閲覧者）毎にユーザ属性データを管理するユーザ属性データベースＨと、端末装置１２Ｂのユーザ（閲覧者）毎にコンテンツの表示位置を決定するための情報を管理するためのデータベースであるユーザ毎コンテンツデータベースＧが記憶される。
【００２９】
図５はコンテンツデータベースＡのデータ構成を示した図である。コンテンツデータベースＡは、コンテンツデータ毎のレコードの集まりであり、フィールドとして［コンテンツＩＤ］、［コンテンツ］、［配信開始時刻］、［コンテンツ属性］、［表示回数］、［表示時間］を備える。フィールド［コンテンツＩＤ］には、コンテンツデータの識別データが格納される。フィールド［コンテンツ］には、コンテンツデータ受信部１１１１が受信したコンテンツデータが格納される。フィールド［配信開始時刻］には、コンテンツデータの配信開始時刻を示すデータが格納される。投稿者はコンテンツを投稿する際、コンテンツの配信開始時刻を指定することができる。投稿者による配信開始時刻の指定がない場合、配信開始時刻は投稿時刻となり、即時にコンテンツの配信が開始される。従って、フィールド［配信開始時刻］には、投稿者により指定された配信開始時刻を示すデータ、もしくは投稿時刻を示すデータが格納される。
【００３０】
フィールド［コンテンツ属性］には、コンテンツ属性データ受信部１１１２が受信したコンテンツ属性データが格納される。コンテンツ属性データは、コンテンツの投稿者により指定されたコンテンツの属性を示し、通常、コンテンツデータと共に端末装置１２Ｐからサーバ装置１１に送信される。本実施形態において、投稿者はコンテンツのターゲットの閲覧者の属性をコンテンツの属性として指定する。具体的には、コンテンツ属性データは、例えば、「男性＝１．２」、「１０歳〜４５歳＝１．５」、「サッカー＝１．３」、「本日１３：３０迄＝３．５」、「渋谷＝２．５」、「モバイル接続＝０．５」等のデータである。
【００３１】
「男性＝１．２」は、コンテンツデータが「男性」に閲覧されるべき程度を示す指標値が「１．２」であることを意味する。
「１０歳〜４５歳＝１．５」は、コンテンツデータが「１０歳〜４５歳」で示される年齢の閲覧者に閲覧されるべき程度を示す指標値が「１．５」であることを意味する。
「サッカー＝１．３」は、コンテンツデータが「サッカー」を好む閲覧者に閲覧されるべき程度を示す指標値が「１．３」であることを意味する。
「本日１３：３０迄＝３．５」は、コンテンツデータが「本日１３：３０迄」で示される時間帯、すなわち、投稿日の１３時３０分以前において閲覧されるべき程度を示す指標値が「３．５」であることを意味する。
「渋谷＝２．５」は、コンテンツデータが「渋谷」において閲覧されるべき程度を示す指標値が「２．５」であることを意味する。
「モバイル接続＝０．５」は、コンテンツデータが「モバイル接続」によりデータ通信を行っている端末装置のユーザによって閲覧されるべき程度を示す指標値が「０．５」であることを意味する。
コンテンツ属性データが示す指標値は、その数値が大きい程、閲覧されるべき程度が高いことを示し、コンテンツデータの各閲覧者にとっての重要度の算出（後述）に用いられる。
【００３２】
コンテンツデータベースＡのフィールド［表示回数］には、表示回数カウント部１１２によりカウントされた回数、すなわちコンテンツが閲覧者に閲覧された総回数を示すデータが格納される。フィールド［表示時間］には、表示時間累計部１１３により累積された時間、すなわちコンテンツが閲覧された総時間を示すデータが格納される。
【００３３】
図６は、ユーザ属性データベースＨのデータ構成を示した図である。ユーザ属性データベースＨは、閲覧者毎のレコードの集まりであり、閲覧者の属性、閲覧者が用いる端末装置１２Ｂの属性、および閲覧者または端末装置１２Ｂが置かれている環境の属性を示すデータが格納される。ユーザ属性データベースＨは、フィールドとして［ユーザＩＤ］、［性別］、［年齢］、［嗜好］、［位置］、［通信状態］を備える。
【００３４】
フィールド［ユーザＩＤ］には、閲覧者の識別データが格納される。フィールド［性別］、［年齢］、［嗜好］々には、閲覧者の性別、年齢、嗜好を示すデータが各々格納される。フィールド［位置］には、閲覧者が携帯する端末装置１２Ｂの現在位置を示すデータが格納される。また、フィールド［通信状態］には、閲覧者が携帯する端末装置１２Ｂの現在の通信状態を示すデータが格納される。
【００３５】
ユーザ属性データベースＨのフィールド［性別］〜［通信状態］に格納されるデータは、端末装置１２Ｂの各々から定期的に、もしくは不定期的に送信されてくるデータを、ユーザ属性データ受信部１１１４が受信したものである。
【００３６】
図７は、ユーザ毎コンテンツデータベースＧのデータ構成を示した図である。ユーザ毎コンテンツデータベースＧは、端末装置１２Ｂのユーザ（閲覧者）を識別するユーザＩＤ毎のテーブルを備え、各テーブルにはコンテンツデータに応じた複数のレコードが含まれる。ユーザ毎コンテンツデータベースＧの各レコードは、フィールド［コンテンツＩＤ］、［重要度］、［距離指標］を備える。フィールド［コンテンツＩＤ］には、コンテンツデータの識別データが格納される。フィールド［重要度］には、閲覧者にとってのコンテンツデータの重要度（後述）を示す数値データが格納される。フィールド［距離指標］には、端末装置１２Ｂにおけるコンテンツの表示位置が表示開始位置からどれだけ離れているかを示す距離指標（後述）を示すデータが格納される。なお、フィールド［距離指標］に格納されるデータは、コンテンツの表示位置を示す表示位置データとして用いられる。
【００３７】
図４に戻り、サーバ装置１１の機能構成の説明を続ける。サーバ装置１１は、現在時刻を示す時刻データを取得する時刻データ取得部１１５を備える。時刻データ取得部１１５は、例えばプロセッサ１０２が備えるクロックにより生成される時刻データを取得する。
【００３８】
また、サーバ装置１１は、コンテンツデータベースＡに格納されているコンテンツ属性データと、ユーザ属性データベースＨに格納されている閲覧者毎のユーザ属性データおよび時刻データ取得部１１５が取得する時刻データとに基づき、例えば所定時間の経過毎（以下、例として、１５分毎とする）に、各コンテンツデータの各閲覧者にとっての重要度を特定する重要度特定部１１６（重要度特定手段の一例）を備える。重要度特定部１１６は、ユーザ属性データベースＨ（図６）のレコードとコンテンツデータベースＡ（図５）のレコードの組み合わせの各々に関し、コンテンツデータベースＡレコードのフィールド［コンテンツ属性］に格納されているデータが示す指標値のうち、ユーザ属性データベースＨのレコードに含まれるデータが示す属性または時刻データが示す現在時刻に該当する指標値を基準値「１」に全て乗じた数値を、閲覧者にとってのコンテンツデータの現在の重要度として算出する。
【００３９】
例えば、時刻データ取得部１１５が取得した時刻データが「２０１４年５月１５日１１時２５分」を示す場合、重要度特定部１１６は、図６（ユーザ属性データベースＨ）の第１行に例示のレコードと、図５（コンテンツデータベースＡ）の第１行に例示のレコードに関し、まず、フィールド［コンテンツ属性］に格納されているデータのうち、「男性＝１．２」、「１０歳〜４５歳＝１．５」、「本日１３：３０迄＝３．５」、「渋谷＝２．５」を、閲覧者の属性または現在時刻に該当するデータとして特定する。続いて、重要度特定部１１６は、これらのデータが示す指標値である「１．２」、「１．５」、「３．５」を基準値「１」に乗じる。すなわち、重要度特定部１１６は「１×１．２×１．５×３．５＝６．３」の計算を行う。このように算出される「６．３」がコンテンツＩＤ「１２３４５６７」で識別されるコンテンツの、ユーザＩＤ「４５６７８」で識別される閲覧者にとっての、現在の重要度である。ただし、この重要度の特定方法はあくまで一例であり、他の重要度の特定方法が採用されてもよい。
【００４０】
重要度特定部１１６は、算出した重要度を示す数値データを、ユーザ毎コンテンツデータベースＧ（図７）に格納する。例えば、上記の例に従い算出された重要度を示す数値データは、ユーザ毎コンテンツデータベースＧのユーザＩＤ「４５６７８」のテーブルの、コンテンツＩＤ「１２３４５６７」のレコードのフィールド「重要度」に格納される。
【００４１】
また、サーバ装置１１は、コンテンツデータベースＡ（図５）に格納されるコンテンツデータの各々に関し、時刻データ取得部１１５が取得した時間データが示す現在時刻と、重要度特定部１１６が特定してユーザ毎コンテンツデータベースＧ（図７）に格納されている重要度とに基づき、端末装置１２Ｂにおける各コンテンツの表示位置が表示開始位置から離れている程度を示す距離指標を算出し、算出した距離指標により当該コンテンツの表示位置を決定する表示位置決定部１１７（表示位置決定手段の一例）を備える。
【００４２】
表示位置決定部１１７は以下の式１に従い距離指標の算出を行う。ただし、以下の式１において、ｔ0は配信開始時刻、ｔiは現在時刻、Ｓは重要度、Ｄiは現在時刻における距離指標である。また、ｔ0＞ｔiの場合（すなわち、現在時刻が配信開始時刻にまだ達していない場合）、表示位置決定部１１７は距離指標の算出を行わない。
【数１】
0006306444.tif 000002
【００４３】
上記の式１に従う場合、投稿時刻ｔ0から時間が経過する程、距離指標Ｄiは大きくなる。また、上記の式１に従う場合、重要度Ｓが大きい（重要度が高い）ほど、距離指標Ｄiは小さくなる。なお、重要度Ｓの逆数（１／Ｓ）は、投稿時刻ｔ0からの経過時間（ｔi−ｔ0）を距離指標Ｄiで除した数値であるため、コンテンツが表示開始位置から遠ざかる速度の指標（数値が大きい程、速度が速い）を意味する。
【００４４】
上記の式１は表示位置決定部１１７が距離指標Ｄiを特定するために用いる算出式のあくまで一例であって、距離指標Ｄiが経過時間（ｔi−ｔ0）の増加関数であり、重要度Ｓの減少関数である限り、表示位置決定部１１７が用いる算出式は限定されない。また、表示位置決定部１１７が距離指標を特定する方法は算出式に従う計算による方法に限られず、経過時間（ｔi−ｔ0）の増加に伴い増加し、重要度Ｓが大きい程、小さくなる距離指標を特定する限り、例えば対応表に従い距離指標を特定する等の方法が採用されてもよい。
【００４５】
表示位置決定部１１７は、重要度特定部１１６により１５分毎に行われる重要度の特定をトリガとして上記のように距離指標を特定し、特定した距離指標を示すデータをユーザ毎コンテンツデータベースＧ（図７）のフィールド［距離指標］に格納する。
【００４６】
また、サーバ装置１１は、端末装置１２Ｂの各々にデータを送信する送信部１１８（送信手段の一例）を備える。送信部１１８は、コンテンツデータベースＡに格納されているコンテンツデータを送信するコンテンツデータ送信部１１８１と、ユーザ毎コンテンツデータベースに格納されている距離指標を示す表示位置データを送信する表示位置データ送信部１１８２を備える。
【００４７】
表示位置データ送信部１１８２は、表示位置決定部１１７により１５分毎に行われる距離指標の特定をトリガとして、端末装置１２Ｂの各々に関し、ユーザ毎コンテンツデータベースＧ（図７）のテーブル内のデータをフィールド［距離指標］の値により昇順でソートし、上位の所定数のレコード（例えば、１００レコード）のフィールド［コンテンツＩＤ］と［距離指標］のデータを端末装置１２Ｂに送信する。（配信開始時刻が現在時刻より後であるレコード、すなわち距離指標が未算出であるレコードは、端末装置１２Ｂへの送信対象から除外される。）
【００４８】
コンテンツデータ送信部１１８１は、表示位置データ送信部１１８２が端末装置１２Ｂに送信するコンテンツＩＤを含むレコードをコンテンツデータベースＡ（図５）から抽出し、抽出したレコードのフィールド［コンテンツＩＤ］と［コンテンツ］のデータを端末装置１２Ｂに送信する。
【００４９】
図８Ａは、端末装置１２Ｐの機能構成を示した図である。すなわち、端末装置１２Ｐは、本実施形態にかかるアプリケーションプログラムに従うデータ処理を行うことにより、図８Ａに示す構成部を備える装置として機能する。端末装置１２Ｐは、まず、投稿者がコンテンツの投稿を行う際に投稿者の入力操作を受け付ける操作受付部１２１と、操作受付部１２１が受け付けた操作に応じてコンテンツデータを生成するコンテンツデータ生成部１２２と、操作受付部１２１が受け付けた操作に応じてコンテンツ属性データを生成するコンテンツ属性データ生成部１２３を備える。なお、コンテンツデータ生成部１２２は、投稿者がコンテンツの配信開始時刻を指定した場合は、指定された時刻を示すデータを生成し、コンテンツデータに付加する。
【００５０】
また、端末装置１２Ｐは、サーバ装置１１にデータを送信する送信部１２４を備える。送信部１２４は、コンテンツデータ生成部１２２が生成したコンテンツデータを送信するコンテンツデータ送信部１２４１と、コンテンツ属性データ生成部１２３が生成したコンテンツ属性データを送信するコンテンツ属性データ送信部１２４２を備える。
【００５１】
端末装置１２Ｐから送信されるコンテンツデータおよびコンテンツ属性データは、サーバ装置１１に受信され、コンテンツデータベースＡ（図５）に格納される。
【００５２】
図８Ｂは、端末装置１２Ｂの機能構成を示した図である。すなわち、端末装置１２Ｂは、本実施形態にかかるアプリケーションプログラムに従うデータ処理を行うことにより、図８Ｂに示す構成部を備える装置として機能する。端末装置１２Ｂは、端末装置１２Ｐと共通する構成部として、操作受付部１２１を備える。
【００５３】
また、端末装置１２Ｂは、端末装置１２Ｂ（自装置）の現在位置を示す位置データを取得する位置データ取得部１２６と、端末装置１２Ｂ（自装置）の現在の通信状態を示す通信状態データを取得する通信状態データ取得部１２７を備える。位置データ取得部１２６は、位置計測ユニット２０５により生成される位置データを取得する。また、通信状態データ取得部１２７は、通信インタフェース２０４がサーバ装置１１との間で行うデータ通信の状態を示す通信状態データを取得する。通信状態データは、例えば、モバイル通信やＷｉＦｉ（登録商標）通信等のデータ通信の種別を示すデータ、通信速度を示すデータ等である。
【００５４】
また、端末装置１２Ｂは、サーバ装置１１からデータを受信する受信部１２８（受信手段の一例）を備える。受信部１２８は、サーバ装置１１から１５分毎に送信されてくるコンテンツデータを受信するコンテンツデータ受信部１２８１（コンテンツデータ取得手段の一例）と、サーバ装置１１から１５分毎に送信されてくる表示位置データ（距離指標を示すデータ）を受信する表示位置データ受信部１２８２を備える。
【００５５】
また、端末装置１２Ｂは、各種データを記憶する記憶部１２９を備える。記憶部１２９には、ユーザ属性データＢとコンテンツデータベースＩが記憶される。
【００５６】
ユーザ属性データＢは、端末装置１２Ｂのユーザ（閲覧者）の属性、端末装置１２Ｂの属性、および閲覧者または端末装置１２Ｂが置かれている環境の属性を示すデータである。図９は、ユーザ属性データＢのデータ構成を示した図である。ユーザ属性データＢは、フィールドとして［性別］、［年齢］、［嗜好］、［位置］、［通信状態］を備える。
【００５７】
ユーザ属性データＢのフィールド［性別］、［年齢］、［嗜好］の各々には、フィールドの名称が示すデータが格納される。フィールド［性別］、［年齢］に格納されるデータは、例えば端末装置１２Ｂのユーザが端末装置１２Ｂに対し登録したデータである。フィールド［嗜好］に格納されるデータは、例えば端末装置１２Ｂのユーザがブラウザにより検索を行った際に用いたキーワードや、Ｗｅｂサイトへユーザ登録を行った際に「趣味」欄等に入力したデータ等から自動的に生成されて登録されたデータである。
【００５８】
ユーザ属性データＢのフィールド［位置］、［通信状態］の各々には、位置データ取得部１２６、通信状態データ取得部１２７の各々が取得したデータが格納される。
【００５９】
図１０はコンテンツデータベースＩのデータ構成を示した図である。コンテンツデータベースＩは、コンテンツデータ毎のレコードの集まりであり、フィールドとして［コンテンツＩＤ］、［コンテンツ］、［距離指標値］を備える。
【００６０】
フィールド［コンテンツＩＤ］には、コンテンツデータ受信部１２８１および表示位置データ受信部１２８２が受信したコンテンツＩＤが格納される。フィールド［コンテンツ］には、コンテンツデータ受信部１２８１がコンテンツＩＤとともに受信したコンテンツデータが格納される。フィールド［距離指標］には、表示位置データ受信部１２８２が受信した表示位置データが示す距離指標が格納される。
【００６１】
１５分毎にコンテンツデータ受信部１２８１および表示位置データ受信部１２８２が受信するデータのうち、コンテンツデータベースＩにコンテンツＩＤが既に登録されているものは、既存のレコードに格納される。これにより、コンテンツデータベースＩの既存のレコードの更新が行われる。また、１５分毎にコンテンツデータ受信部１２８１および表示位置データ受信部１２８２が受信するデータのうち、コンテンツデータベースＩにコンテンツＩＤが未登録のものは、新たなレコードにそれらのデータが登録される。
【００６２】
図８Ｂに戻り、端末装置１２Ｂの機能構成の説明を続ける。端末装置１２Ｂは、コンテンツデータベースＩに格納されるデータに従いコンテンツの表示を表示部１３３（表示装置の一例）に指示する表示指示部１３２（表示指示手段の一例）と、表示指示部１３２の指示に従いコンテンツを表示する表示部１３３を備える。具体的には、表示指示部１３２は、コンテンツデータベースＩ（図１０）のフィールド［コンテンツ］に格納されるコンテンツデータが示すコンテンツを、フィールド［距離指標］に格納される距離指標が小さいものから順に表示領域に表示する画像を示す画像データを生成し、生成した画像データを表示部１３３に引き渡す。表示部１３３は、表示指示部１３２から引き渡される画像データが示す画像を、タッチディスプレイ２０３の所定の表示領域に表示する。なお、表示領域にコンテンツが表示されている状態で、閲覧者が操作受付部１２１に対しスクロール操作等の所定の操作を行った場合、表示指示部１３２はそれらの操作に応じて表示領域に表示されるコンテンツが変更されるように画像データを更新し、更新後の画像データを順次、表示部１３３に引き渡す。
【００６３】
また、端末装置１２Ｂは、表示指示部１３２の指示に従い表示部１３３により表示されたコンテンツ毎に、コンテンツの表示時間を示す表示時間データを生成する表示時間データ生成部１３４を備える。表示時間データ生成部１３４は、表示領域に表示されていたコンテンツが表示されなくなったタイミングで、当該コンテンツが表示領域に表示されていた時間を示す表示時間データを生成する。
【００６４】
端末装置１２Ｂは、さらに、サーバ装置１１にデータを送信する送信部１３５を備える。送信部１３５は、例えばユーザ属性データＢ（図９）が更新されたタイミングで、ユーザ属性データＢをサーバ装置１１に送信するユーザ属性データ送信部１３５１と、表示時間データ生成部１３４が表示時間データを生成する毎に、生成された表示時間データをコンテンツＩＤとともにサーバ装置１１に送信する表示時間データ送信部１３５２を備える。
【００６５】
ユーザ属性データ送信部１３５１により送信されるユーザ属性データＢは、サーバ装置１１に受信され、ユーザ属性データベースＨ（図６）に格納される。また、表示時間データ送信部１３５２により送信される表示時間データは、サーバ装置１１に受信され、表示回数カウント部１１２によるコンテンツ毎の表示回数のカウントと、表示時間累計部１１３によるコンテンツ毎の表示時間の累計に用いられ、コンテンツデータベースＡ（図５）に反映される。
【００６６】
上記の構成を備える情報表示システム１の動作は以下のとおりである。まず、投稿者は端末装置１２Ｐを操作して、コンテンツデータおよびコンテンツ属性データと、必要に応じて配信開始時刻の入力操作を行う。投稿者に入力されたこれらのデータは、端末装置１２Ｐからサーバ装置１１に送信され、コンテンツデータベースＡ（図５）に格納される。
【００６７】
また、閲覧者の端末装置１２Ｂは各々、例えば閲覧者の操作等に応じて、ユーザ属性データＢ（図９）を更新する。更新されたユーザ属性データＢは、端末装置１２Ｂからサーバ装置１１に送信され、ユーザ属性データベースＨ（図６）に格納される。
【００６８】
サーバ装置１１は、端末装置１２Ｂの各々に関し、１５分毎に、ユーザ属性データベースＨ（図６）に格納されているユーザ属性データと、コンテンツデータベースＡ（図５）に格納されているコンテンツ属性データとに基づき、閲覧者にとっての各コンテンツの重要度を算出する。さらに、サーバ装置１１は、算出した重要度と、コンテンツデータベースＡ（図５）に格納されている配信開始時刻と、現在時刻とに基づき、各コンテンツの距離指標を算出する。サーバ装置１１は、このように算出した距離指標を示す表示位置データを、コンテンツデータとともに端末装置１２Ｂの各々に送信する。
【００６９】
端末装置１２Ｂは、１５分毎にサーバ装置１１から送信されてくるコンテンツデータが示すコンテンツを、コンテンツデータとともに送信されてくる表示位置データが示す順序で表示領域に表示する。このように表示されるコンテンツは、端末装置１２Ｂのユーザ（閲覧者）毎に順序が異なり、閲覧者にとって有意義と思われるコンテンツほど、表示領域に長く表示されるように更新される。
【００７０】
図１１は、ある閲覧者の端末装置１２Ｂに表示される画面（コンテンツの表示領域に表示される画像）が時間の経過に伴い変化する様子を模式的に示した図である。以下に図１１に例示の画面を説明する。
【００７１】
まず、ある日の時刻「９：００」に、表示領域Ｅの表示開始位置Ｆに、配信開始時刻「８：５５」のコンテンツＣ００１が表示される（図１１（１））。その後、時刻「９：１５」になると、表示開始位置Ｆに、配信開始時刻「９：０７」のコンテンツＣ００２が表示され、コンテンツＣ００１が下方に移動する（図１１（２））。コンテンツＣ００２の重要度は、コンテンツＣ００１の重要度より低い。以下、このようなコンテンツ間の重要度の関係を、「Ｃ００２＜Ｃ００１」のように記載する。
【００７２】
その後、時刻「９：３０」になると、コンテンツＣ００２がコンテンツＣ００１より下方に移動し、コンテンツＣ００１が再び、表示開始位置Ｆに移動する（図１１（３））。これは、コンテンツＣ００２の重要度がコンテンツＣ００１の重要度より低く、時間の経過に伴い、上述した式１に従い算出されるコンテンツＣ００２の距離指標がコンテンツＣ００１の距離指標を上回ったためである。
【００７３】
本実施形態において、表示領域内でコンテンツの表示位置が入れ替わる時には、入れ替わる様子がアニメーション表示される。図１２は、図１１（２）に示す状態から図１１（３）に示す状態へ変化する際にアニメーション表示が行われる様子を例示した図である。
【００７４】
その後、時刻「９：４５」になると、表示開始位置Ｆに、配信開始時刻「９：３８」のコンテンツＣ００３が表示され、コンテンツＣ００１およびコンテンツＣ００２が下方に移動する（図１１（４））。重要度の関係は「Ｃ００３＜Ｃ００２＜Ｃ００１」である。
【００７５】
その後、時刻「１０：００」になると、距離指標に従い、コンテンツＣ００３がコンテンツＣ００１およびコンテンツＣ００２の下方に移動する（図１１（５））。
【００７６】
その後、時刻「１０：１５」になると、表示開始位置Ｆに、配信開始時刻「１０：１２」のコンテンツＣ００４が表示され、コンテンツＣ００１、コンテンツＣ００２、コンテンツＣ００３が下方に移動する（図１１（６））。重要度の関係は「Ｃ００３＜Ｃ００２＜Ｃ００１＜Ｃ００４」である。
【００７７】
その後、時刻「１０：３０」になると、表示開始位置Ｆに、配信開始時刻「１０：２０」のコンテンツＣ００５が表示され、コンテンツＣ００４、コンテンツＣ００１、コンテンツＣ００２、コンテンツＣ００３が下方に移動する（図１１（７））。重要度の関係は「Ｃ００３＜Ｃ００２＜Ｃ００５＜Ｃ００１＜Ｃ００４」である。
【００７８】
その後、時刻「１０：４５」になると、距離指標に従い、コンテンツＣ００５がコンテンツＣ００４およびコンテンツＣ００１の下方に移動する（図１１（８））。
【００７９】
その後、時刻「１１：００」になると、表示開始位置Ｆに、配信開始時刻「１０：５２」のコンテンツＣ００６が表示され、コンテンツＣ００４、コンテンツＣ００１、コンテンツＣ００５、コンテンツＣ００２が下方に移動する。また、それまで表示領域の最も下方に表示されていたコンテンツＣ００３は、コンテンツ００６の表示に伴い、表示領域Ｅ内に表示されなくなる（図１１（９））。重要度の関係は「Ｃ００３＜Ｃ００２＜Ｃ００５＜Ｃ００１＜Ｃ００４＜Ｃ００６」である。
【００８０】
図１１（８）の状態から図１１（９）の状態に移行するタイミングで、端末装置１２Ｂは表示が停止されるコンテンツＣ００３に関し、コンテンツが表示されていた時間を示す表示時間データを、コンテンツＣ００３のコンテンツＩＤとともに、サーバ装置１１に送信する。サーバ装置１１は、端末装置１２Ｂの各々から送信されてくる表示時間データをコンテンツＩＤとともに受信すると、コンテンツＩＤに応じたレコードをコンテンツデータベースＡ（図５）から検索し、検索したレコードのフィールド［表示回数］が示す数値を１だけ増加させるとともに、フィールド［表示時間］が示す時間を受信した表示時間データが示す時間だけ増加させる。このように更新されるフィールド［表示回数］および［表示時間］に格納されるデータは、例えば各コンテンツデータの投稿者に提供されて利用される。
【００８１】
ところで、図１１に示したコンテンツの表示例においては、コンテンツデータの重要度に変化は生じていない。しかしながら、閲覧者がコンテンツを閲覧中にコンテンツデータの重要度に変化が生じる場合がある。例えば、コンテンツ属性データが、特定の時間帯において高い指標値を示す場合、時間の経過に伴い現在時刻が当該特定の時間帯に入る、もしくは当該特定の時間帯から外れると、ユーザ属性データベースＨおよびコンテンツデータベースＡに格納されているデータに変更はなくとも、継続的に更新される重要度には変化が生じる。また、閲覧者が移動して現在位置が変化したり、通信状態が変化したりすれば、当該閲覧者のユーザ属性データＢが変更され、ユーザ属性データベースＨが更新される。その結果、重要度に変化が生じる。さらに、投稿者がコンテンツ属性データに変更を加え、その変更がコンテンツデータベースＡに反映された場合も、重要度に変化が生じる。
【００８２】
図１３は、コンテンツデータの重要度が変化した場合に端末装置１２Ｂにおいて表示領域Ｅに表示される画像が変化する様子を示した図である。図１３は、時刻「１１：１０」頃にコンテンツＣ００３の重要度が高くなり、「Ｃ００２＜Ｃ００５＜Ｃ００１＜Ｃ００４＜Ｃ００６＜Ｃ００３」となった場合に、その後に表示領域Ｅに表示される画像を例示している。
【００８３】
図１３の例では、時刻「１１：１５」になると、時刻「１１：００」において表示領域Ｅに表示されなくなったコンテンツＣ００３が再度、表示領域Ｅに表示され、代わりに、コンテンツＣ００３より重要度が低くなったコンテンツＣ００２が表示領域Ｅに表示されなくなっている（図１３（１））。
【００８４】
その後、コンテンツＣ００３は上方に移動し、時刻「１１：３０」には表示開始位置Ｆに表示されている（図１３（２））。
【００８５】
図１３に例示のように、本実施形態においては、例えばユーザ属性データやコンテンツ属性データが変更されて、コンテンツデータの重要度が変化した場合、その時点のコンテンツの表示位置（図１３に例示のコンテンツＣ００３の場合、表示領域Ｅの外側の非表示領域内の位置）を起点として、新たな重要度に基づき、コンテンツが移動するように表示される。そのため、例えば表示位置決定部１１７は、重要度が変化した場合、以下の式２に従い距離指標の算出を行う。ただし、以下の式２において、ｔ0は配信開始時刻、ｔiは重要度が変化した時刻、ｔjは現在時刻、Ｓ0は変化前の重要度、Ｓiは変化後の重要度、Ｄjは現在時刻における距離指標である。
【数２】
0006306444.tif 000003
【００８６】
本実施形態においては、図１３のコンテンツＣ００３のように、投稿時刻から時間が経過して、新着のコンテンツにより押し出されるように非表示となったコンテンツが、その後、重要度が高くなった等の理由により、再度、表示領域Ｅに表示されることも許容される。例えば、タイムセールの案内のようなコンテンツは、タイムセールが開始する暫く前に閲覧者に告知をした後、タイムセールの開始が近付いたタイミングで再度、そのタイムセールに興味を抱くと推定される閲覧者にリマインドのための案内を行うことで、宣伝効果を高めることができる。また、タイムセールの告知を見逃した閲覧者も、タイムセールの開始が近付いたタイミングで案内を受ける機会が与えられ、望ましい。
【００８７】
また、例えば、サイズが大きいデータのダウンロードを促すようなコンテンツは、仮に通信速度が遅い端末装置１２Ｂのユーザに対し長時間、閲覧される状況に置かれると、それらのユーザがダウンロード操作を行ってしまい、結果的にユーザに不快適な思いをさせてしまうことがある。本実施形態においては、そのようなコンテンツに通信速度に関するユーザ属性データを設定することによって、通信速度が遅い期間中には速やかに表示領域Ｅ外へと移動し、その後、通信速度が速くなった時に表示領域Ｅに再表示される、といったコンテンツの表示が容易に実現される。
【００８８】
上記のように、情報表示システム１によれば、コンテンツは端末装置１２Ｂにおいて配信開始時刻になると表示開始位置に表示された後、新着のコンテンツの表示に伴い表示開始位置から離れる方向に移動する。ただし、表示領域に一覧表示されるコンテンツの順序は、コンテンツの重要度に応じて適宜入れ替わり、重要度の高いコンテンツ程、表示開始位置に近い位置に長く留まり、表示領域に長時間、表示される。
【００８９】
なお、情報表示システム１において、コンテンツ毎に算出される距離指標は閲覧者毎に異なるユーザ属性データＢ（図９）に応じて異なるため、異なる端末装置１２Ｂの表示領域に同じタイミングで一覧表示されるコンテンツやそれらのコンテンツの順序は同じとは限らない。すなわち、閲覧者の各々にとって重要度が高いコンテンツ程、表示開始位置に近い位置に長く留まるように表示される。
【００９０】
その結果、情報表示システム１によれば、従来のタイムライン表示による場合と比較し、配信開始時刻の順に表示されるコンテンツが、望ましい閲覧者に高い確率で閲覧されることになる。
【００９１】
［変形例］
上述した情報表示システム１は本発明の一実施形態であって、本発明の技術的思想の範囲内において様々に変形することができる。以下にそれらの変形の例を示す。なお、上述した実施形態および下記の変形例の２以上が適宜組み合わされてもよい。
【００９２】
（１）上述した実施形態においては、コンテンツデータの重要度の特定および表示位置の決定がサーバ装置において行われる。コンテンツデータの重要度の特定および表示位置の決定の少なくとも一方が、閲覧者の端末装置において行われる構成としてもよい。
【００９３】
図１４は、コンテンツデータの重要度の特定および表示位置の決定が閲覧者の端末装置において行われる変形例において、情報表示システム１が上述したサーバ装置１１に代えて備えるサーバ装置２１の機能構成を示した図である。なお、図１４において、サーバ装置２１がサーバ装置１１と共通して備える構成部にはサーバ装置１１において用いた符号と同じ符号が用いられている。
【００９４】
また、図１５は、コンテンツデータの重要度の特定および表示位置の決定が閲覧者の端末装置において行われる変形例において、情報表示システム１が上述した端末装置１２Ｂに代えて備える端末装置２２Ｂの機能構成を示した図である。なお、図１５において、端末装置２２Ｂが端末装置１２Ｂと共通して備える構成部には端末装置１２Ｂにおいて用いた符号と同じ符号が用いられている。
【００９５】
サーバ装置２１（図１４）は、サーバ装置１１（図４）と共通する構成部として、表示回数カウント部１１２、表示時間累計部１１３を備える。また、サーバ装置２１は、サーバ装置１１が備える受信部１１１、記憶部１１４、送信部１１８に各々対応する構成部として、受信部２１１、記憶部２１４、送信部２１８を備える。
【００９６】
受信部２１１は、受信部１１１と共通する構成部として、コンテンツデータ受信部１１１１（コンテンツデータ取得手段の一例）、コンテンツ属性データ受信部１１１２（コンテンツ属性データ取得手段の一例）、表示時間データ受信部１１１３を備える。
【００９７】
記憶部２１４は、記憶部１１４と同様にコンテンツデータベースＡ（図５）を記憶する。
【００９８】
送信部２１８は、送信部１１８と共通する構成部として、コンテンツデータ送信部１１８１（コンテンツデータ送信手段の一例）を備える。また、送信部２１８は、コンテンツ属性データを端末装置２２Ｂに送信するコンテンツ属性データ送信部２１８１を備える。
【００９９】
端末装置２２Ｂ（図１５）は、端末装置１２Ｂ（図８Ｂ）と共通する構成部として、操作受付部１２１、位置データ取得部１２６、通信状態データ取得部１２７、表示指示部１３２、表示部１３３、表示時間データ生成部１３４を備える。
【０１００】
また、端末装置２２Ｂは、端末装置１２Ｂが備える受信部１２８、記憶部１２９、送信部１３５に各々対応する構成部として、受信部２２８、記憶部２２９、送信部２３５を備える。
【０１０１】
受信部２２８は、受信部１２８と共通する構成部として、コンテンツデータ受信部１２８１を備える。また、受信部２２８は、サーバ装置２１から送信されてくるコンテンツ属性データを受信するコンテンツ属性データ受信部２２８１を備える。
【０１０２】
記憶部２２９は、記憶部１２９と同様にユーザ属性データＢ（図９）を記憶する。また、記憶部２２９は、記憶部１２９が記憶するコンテンツデータベースＩ（図１０）に代えて、コンテンツデータベースＣを記憶する。
【０１０３】
図１６はコンテンツデータベースＣのデータ構成を示した図である。コンテンツデータベースＣは、コンテンツデータ毎のレコードの集まりであり、フィールドとして［コンテンツＩＤ］、［コンテンツ］、［配信開始時刻］、［コンテンツ属性］、［重要度］、［距離指標値］を備える。
【０１０４】
フィールド［コンテンツ］、［配信開始時刻］、［コンテンツ属性］には、受信部２２８がサーバ装置１１から受信したデータが格納される。また、フィールド［重要度］、［距離指標］には、端末装置２２Ｂにおいて算出される重要度、距離指標を示すデータが格納される。
【０１０５】
送信部２３５は、送信部１３５と共通する構成部として、表示時間データ送信部１３５２を備える。
【０１０６】
さらに、端末装置２２Ｂは、サーバ装置１１（図４）が備える時刻データ取得部１１５、重要度特定部１１６、表示位置決定部１１７に各々対応する構成部として、時刻データ取得部２２５、重要度特定部２２６（重要度特定手段の一例）、表示位置決定部２２７（表示位置決定手段の一例）を備える。
【０１０７】
上記の構成を備えるサーバ装置２１および端末装置２２Ｂを備える本変形例にかかる情報表示システム１においては、サーバ装置２１から端末装置２２Ｂの各々に対し、コンテンツデータおよびコンテンツ属性データが送信され、端末装置２２Ｂの各々において重要度の特定および表示位置の決定が行われる。端末装置２２Ｂは自装置において生成した表示位置データに従う順序でコンテンツを一覧表示する。
【０１０８】
端末装置２２Ｂにおいて表示領域に表示される画像は、上述した実施形態において端末装置１２Ｂにおいて表示領域に表示される画像と同じである。従って、本変形例にかかる情報表示システム１によっても、本変形例にかかる情報表示システム１による場合と同様に、従来のタイムライン表示による場合と比較し、投稿順に表示されるコンテンツが、望ましい閲覧者に高い確率で閲覧されることになる。
【０１０９】
（２）上述した実施形態において、コンテンツ属性データは投稿者により入力される。これに代えて、例えばサーバ装置１１がコンテンツデータに含まれるテキストデータからキーワードを抽出し、抽出したキーワードに応じたコンテンツ属性データを生成して用いる構成が採用されてもよい。
【０１１０】
（３）上述した実施形態において、一覧表示されるコンテンツの順序は、距離指標に応じて入れ替わることが許容されている。これに代えて、表示領域Ｅに表示されるコンテンツの選択は距離指標に基づき行われるが、コンテンツの順序は投稿時刻に従う順序が維持される構成が採用されてもよい。この変形例によれば、重要度が高いコンテンツ程、表示領域Ｅに表示される時間は長くなるが、重要度の高低（または距離指標の大小）にかかわらず、古いコンテンツ程、表示開始位置から遠い位置に表示される。この例のように、重要度が高いコンテンツ程、表示領域Ｅに表示される時間が長くなる限り、表示領域Ｅにおけるコンテンツの表示位置の決定規則は限定されない。
【０１１１】
（４）例えば閲覧者の選択操作に応じて、上述したコンテンツの表示方式と、従来のタイムライン表示とを切り替え可能としてもよい。また、これらの異なる表示方式に従うコンテンツの表示が同時に行われる構成としてもよい。
【０１１２】
（５）上述した実施形態において、ユーザ属性データまたはコンテンツ属性データの変更等に伴い重要度が変化した場合、その時点におけるコンテンツの表示位置を起点にコンテンツが移動するように表示される。これに代えて、重要度が変化した場合、配信開始時刻に遡って新たな重要度を適用し、その結果、特定される表示位置にコンテンツを移動させる構成が採用されてもよい。この変形例は、例えば、表示位置決定部１１７が新たな重要度を用いて上述の式１に従い距離指標の算出を行うことで実現される。
【０１１３】
（６）上述した実施形態において示したユーザ属性データが示す属性の種類はあくまで例示であって、他の種類のユーザ属性データが採用されてもよい。例えば、端末装置１２Ｂのユーザと一緒にいる人、移動速度や移動方向、端末装置１２Ｂにインストールされているアプリケーションプログラムの種類、端末装置１２Ｂにおいて使用頻度の高いアプリケーションプログラムの種類、端末装置１２Ｂに記憶されているデータ（例えばスケジューラのデータ等）、端末装置１２Ｂを用いて過去に購入された商品の種別等を示すデータが、ユーザ属性データとして用いられてもよい。同様に、コンテンツ属性データが示す属性の種類も、上述した実施形態において示したものに限られず、他の様々な種類の属性を示すコンテンツ属性データが採用され得る。また、各々の端末装置１２Ｂに関し取得可能なユーザ属性データが異なってもよい。例えば、全ての端末装置１２Ｂがユーザ属性データとして現在位置を示す位置データを用いる必要はなく、従って、全ての端末装置１２Ｂが位置計測ユニット２０５を備えている必要はない。
【０１１４】
（７）上述した実施形態において、重要度および距離指標の算出や、表示領域における表示の更新等は、１５分毎に行われるものとしたが、それらの処理が行われるタイミングはこれに限られない。例えば、１分毎のように１５分とは異なる所定時間毎にこれらの処理が行われてもよいし、例えば新たなコンテンツが配信されるタイミングのように所定時間間隔ではないタイミングでこれらの処理が行われてもよい。
【０１１５】
（８）上述した実施形態において、ユーザ属性データは端末装置１２Ｂからサーバ装置１１に直接送信される。これに代えて、例えば様々なユーザ（閲覧者）のユーザ属性データを管理するサーバ装置から、サーバ装置１１がユーザ属性データを取得する構成が採用されてもよい。
【０１１６】
（９）上述した実施形態において、コンテンツデータおよびコンテンツ属性データは、端末装置１２Ｐからサーバ装置１１に直接送信される。これに代えて、サーバ装置１１が、例えば様々なコンテンツデータおよびコンテンツ属性データを管理するサーバ装置（以下、「コンテンツ管理サーバ装置」という）からコンテンツデータおよびコンテンツ属性データを取得する構成が採用されてもよい。この変形例においては、例えば、投稿者は端末装置１２Ｐを用いてコンテンツ管理サーバ装置にアクセスし、コンテンツデータおよびコンテンツ属性データをコンテンツ管理サーバ装置に登録する。コンテンツ管理サーバ装置は、例えば配信開始時刻が所定時間内に近づいたタイミングで、コンテンツデータおよびコンテンツ属性データを順次、サーバ装置１１に送信する。このように、投稿者の端末装置１２Ｐとコンテンツ管理サーバ装置に例示のサーバ装置が連携してサーバ装置１１に
コンテンツの投稿を行う構成が採用されてもよい。
【０１１７】
（１０）上述した実施形態におけるサーバ装置１１および端末装置１２は、一般的なコンピュータに、本発明にかかるプログラムに従った処理を実行させることにより実現される。これに代えて、これらの装置が、いわゆる専用機として構成されてもよい。
【符号の説明】
【０１１８】
１…情報表示システム、９…ネットワーク、１１…サーバ装置、１２…端末装置、２１…サーバ装置、２２…端末装置、１０１…メモリ、１０２…プロセッサ、１０３…通信インタフェース、１１１…受信部、１１２…表示回数カウント部、１１３…表示時間累計部、１１４…記憶部、１１５…時刻データ取得部、１１６…重要度特定部、１１７…表示位置決定部、１１８…送信部、１２１…操作受付部、１２２…コンテンツデータ生成部、１２３…コンテンツ属性データ生成部、１２４…送信部、１２６…位置データ取得部、１２７…通信状態データ取得部、１２８…受信部、１２９…記憶部、１３２…表示指示部、１３３…表示部、１３４…表示時間データ生成部、１３５…送信部、２０１…メモリ、２０２…プロセッサ、２０３…タッチディスプレイ、２０４…通信インタフェース、２０５…位置計測ユニット、２１１…受信部、２１４…記憶部、２１８…送信部、２２５…時刻データ取得部、２２６…重要度特定部、２２７…表示位置決定部、２２８…受信部、２２９…記憶部、２３５…送信部、１１１１…コンテンツデータ受信部、１１１２…コンテンツ属性データ受信部、１１１３…表示時間データ受信部、１１１４…ユーザ属性データ受信部、１１８１…コンテンツデータ送信部、１１８２…表示位置データ送信部、１２４１…コンテンツデータ送信部、１２４２…コンテンツ属性データ送信部、１２８１…コンテンツデータ受信部、１３５１…ユーザ属性データ送信部、１３５２…表示時間データ送信部、２１８１…コンテンツ属性データ送信部、２２８１…コンテンツ属性データ受信部
【図１】
0006306444.tif 000004
【図２】
0006306444.tif 000005
【図３Ａ】
0006306444.tif 000006
【図３Ｂ】
0006306444.tif 000007
【図４】
0006306444.tif 000008
【図５】
0006306444.tif 000009
【図６】
0006306444.tif 000010
【図７】
0006306444.tif 000011
【図８Ａ】
0006306444.tif 000012
【図８Ｂ】
0006306444.tif 000013
【図９】
0006306444.tif 000014
【図１０】
0006306444.tif 000015
【図１１】
0006306444.tif 000016
【図１２】
0006306444.tif 000017
【図１３】
0006306444.tif 000018
【図１４】
0006306444.tif 000019
【図１５】
0006306444.tif 000020
【図１６】
0006306444.tif 000021